(57)【要約】 【課題】  正面輝度を増加させて、薄型化及び軽量化を具現することができる液晶表示装置を提供する。【解決手段】  光源１００から発生した第１光Ｌ１は導光板２００に入射する。前記第１光は、前記導光板により第２光Ｌ３に経路が変更され反射板３００側に出射される。以後、前記第２光は、前記反射板により反射され正面輝度が向上された第３光Ｌ２に変更される。この際、前記反射板の表面構造が三角プリズム形状に形成され、前記第２光を正面輝度が向上された第３光として集光する。従って、前記液晶表示装置は、正面輝度を増加させることができるのみならず、全体的なサイズ及び重さを最小化することができる。
2005513573.tif 000002
【特許請求の範囲】
【請求項１】
第１光を発生するための光源と、
前記第１光が入射する入射面と、前記第１光をガイドして第２光を出射するための第１出射面と、前記入射面を挟んで前記第１出射面と向かい合うように連結され、前記第１出射面を通じて入射する第３光を出射するための第２出射面とで構成された導光板と、
前記導光板の前記第１出射面の下側に具備され、前記第１出射面と向かい合う反射面においてプリズム形状に突出した多数の突出部を有し、前記第２光を反射して正面輝度が向上された前記第３光を前記導光板に提供するための反射板と、
前記導光板から前記第３光の提供を受けて画像を表示するための液晶表示パネルと、を含むことを特徴とする液晶表示装置。
【請求項２】
前記反射板は、
支持層と、
前記支持層の表面からプリズム形状に突出し、前記支持層の第１端部から前記第１端部と反対に位置する第２端部まで延長して形成された多数の突出部を有する集光層と、
前記集光層の全面を覆い、前記集光層上に均一な厚さで提供された反射層と、で構成されたことを特徴とする請求項１記載の液晶表示装置。
【請求項３】
前記多数の突出部のそれぞれは、前記支持層の表面と第１角で傾く第１傾斜面と、前記支持部の表面と第２角で傾く第２傾斜面とで構成され、前記第１傾斜面と前記第２傾斜面によって形成された一つの頂点を有することを特徴とする請求項２記載の液晶表示装置。
【請求項４】
前記第１角及び第２角は、それぞれ３０°〜４５°であることを特徴とする請求項３記載の液晶表示装置。
【請求項５】
前記第１角及び第２角は、同じであることを特徴とする請求項４記載の液晶表示装置。
【請求項６】
前記頂点は、ラウンド形状に形成されることを特徴とする請求項３記載の液晶表示装置。
【請求項７】
前記反射板は、前記反射層上に形成され前記反射層を保護するための保護層を更に含むことを特徴とする請求項２記載の液晶表示装置。
【請求項８】
前記保護層は、前記反射層上に均一な厚さで積層されることを特徴とする請求項７記載の液晶表示装置。
【請求項９】
前記保護層は、フラットな表面構造を有し、前記反射層上に積層されることを特徴とする請求項７記載の液晶表示装置。
【請求項１０】
前記反射板は、
支持層と、
前記支持層の表面からプリズム形状に突出し、前記支持層の第１端部から前記第１端部と反対に位置する第２端部まで延長して形成された多数の突出部を有する反射層と、で構成されることを特徴とする請求項１記載の液晶表示装置。
【請求項１１】
前記第１出射面は、前記反射板に向かって所定の高さに突出し、ドット形状に形成され、前記第１光を前記反射板側にガイドするための多数の光ガイドパターンを具備することを特徴とする請求項１記載の液晶表示装置。
【請求項１２】
前記多数の光ガイドパターンは、柱形状を有することを特徴とする請求項１１記載の液晶表示装置。
【請求項１３】
前記多数の光ガイドパターンは、前記反射板側から見た時、四角形形状を有することを特徴とする請求項１２記載の液晶表示装置。
【請求項１４】
前記光ガイドパターンが前記導光板の前記第１出射面から突出した長さは、前記光ガイドパターンの幅より長いことを特徴とする請求項１３記載の液晶表示装置。
【請求項１５】
前記突出した長さは、前記幅の１.４倍であることを特徴とする請求項１４記載の液晶表示装置。
【請求項１６】
前記多数の光ガイドパターンは、前記光源から離れるほど狭い間隔を有することを特徴とする請求項１１記載の液晶表示装置。
【請求項１７】
前記多数の光ガイドパターンは、前記導光板に一体に形成されることを特徴とする請求項１１記載の液晶表示装置。
【請求項１８】
第１光を発生するための光源と、
前記第１光が入射する入射面と、前記第１光をガイドして第２光を出射するための光ガイドパターンを具備する第１出射面と、前記入射面を挟んで前記第１出射面と向かい合うように連結され、前記第１出射面を通じて入射した第３光を出射するための第２出射面と、で構成された導光板と、
前記導光板の前記第１出射面の下側に具備され、前記第１出射面と向かい合う反射面においてプリズム形状に形成された多数の突出部を有し、前記第２光を反射して正面輝度が向上された第３光として前記導光板に提供するための反射板と、
前記第３光の提供を受けて画像を表示するための液晶表示パネルと、を含むことを特徴とする液晶表示装置。
【請求項１９】
前記多数の光ガイドパターンは、前記第１出射面から前記反射板に向かって所定の高さで突出し、ドット形状に形成され、前記第１光を前記反射板側にガイドすることを特徴とする請求項１８記載の液晶表示装置。
【請求項２０】
前記多数の光ガイドパターンは、柱形状を有することを特徴とする請求項１９記載の液晶表示装置。
【請求項２１】
前記反射板は、
支持層と、
前記支持層の表面からプリズム形状に突出し、前記支持層の第１端部から前記第１端部と反対に位置する第２端部まで延長して形成された多数の突出部を有する集光層と、
前記集光層の全面を覆い、前記集光層上に均一な厚さで提供された反射層と、で構成されたことを特徴とする請求項１８記載の液晶表示装置。
【請求項２２】
前記多数の突出部のそれぞれは、前記支持層の表面と第１角で傾く第１傾斜面と、前記支持部の表面と第２角で傾く第２傾斜面とで構成され、前記第１傾斜面と前記第２傾斜面によって形成された一つの頂点を有することを特徴とする請求項２１記載の液晶表示装置。
【発明の詳細な説明】
【技術分野】
【０００１】
本発明は液晶表示装置に関し、より詳細には、正面輝度を向上させて薄型化及び軽量化を具現することができる液晶表示装置に関するものである。
【背景技術】
【０００２】
最近、情報処理機器は、多様な形態と機能、より速くなった情報処理速度を有するように急速に発展しており、このような情報処理装置は、加工された情報を表示するディスプレイ装置を必要とする。
【０００３】
ディスプレイ装置としては、主にＣＲＴモニターが使用されたが、最近では携帯用機器の普遍化と共に、軽量、小型で空間を少なく占める液晶表示装置が開発され、コンピュータのモニター、家庭用壁掛テレビ、その他情報処理装置のディスプレイ装置として広く用いられている。
【０００４】
一般に、液晶表示装置は、液晶の特定の分子配列に電圧を印加して他の分子配列に変換させ、このような分子配列により生じる液晶セルの複屈折性、旋光性、２色性、及び光散乱特性等の光学的性質の変化を視覚変化に変換するもので、液晶セルによる光の変調を用いて情報を表示する。
【０００５】
液晶表示装置は、自体的に発光しない受動光素子なので、液晶表示パネルの後面に付着されたバックライトアセンブリを用いて、画像をディスプレイする装置である。
【０００６】
最近では、製品の競争力を確保するために、スリム化及び軽量化のために多様な構造が開発されている。特に、液晶表示装置が主に携帯用コンピュータ等に用いられる点を考慮して、軽量化はより重要に取り扱われている。
【０００７】
このような液晶表示装置において、特に、バックライトアセンブリの役割と機能が漸次重要な課題として注目されているが、これはバックライトアセンブリの構造によって、液晶表示装置のサイズ及び光効率等が異なり、全体的な液晶表示装置の機械的／光学的特性が影響を受けるためのである。
【０００８】
図１は、従来の液晶表示装置を示した分解斜視図であり、図２は、図１に図示された液晶表示装置を示した断面図である。
【０００９】
図１及び図２を参照すると、液晶表示装置５０は、光を発生するバックライトアセンブリ３０、及び前記光の提供を受けて画像を表示するための液晶表示パネル４０で構成される。
【００１０】
前記バックライトアセンブリ３０は、第１光を発生するランプ１２及び前記ランプ１２の一側を覆うランプカバー１４で構成された光源部１０、及び前記第１光を前記液晶表示パネル４０側にガイドするための導光板２０を具備する。前記ランプ１２には冷陰極線管が主に用いられ、前記ランプ１２から発生される前記第１光は、前記導光板２０の側面を通じて入射される。前記ランプカバー１４の内面には反射部材が形成され、前記ランプカバー１４は、前記第１光を前記導光板２０側に反射させて前記第１光の効率を向上させる。
【００１１】
前記導光板２０は、前記ランプ１２からの前記第１光を、前記導光板２０の上部に装着される前記液晶表示パネル４０側に進行させる。そのために、前記導光板２０の底面には、前記第１光の進行方向を前記液晶表示パネル４０側に変換するための微細なドットパターンのような各種パターン（図示せず）が印刷される。
【００１２】
一方、前記導光板２０の下には反射板２２が設けられ、前記導光板２０の上には拡散シート３２、第１プリズムシート３４、第２プリズムシート３６、及び保護シート３８が順次積層される。
【００１３】
前記反射板２２は、前記導光板２０の印刷パターンによって反射されず漏洩する第２光を、前記導光板２０側に反射させて、前記液晶表示パネル４０に入射する第３光の損失を防止する。
【００１４】
前記拡散シート３２は、前記導光板２０から入射する前記第３光を分散させて、前記拡散シート３２から出射される第４光が部分的に密集する現象を防止する。
【００１５】
前記第１プリズムシート３４及び第２プリズムシート３６の上面には、それぞれ多数の断面三角形のプリズムが形成されている。前記第１プリズムシート３４及び第２プリズムシート３６は、前記拡散シート３２によって拡散された前記第４光の視野角を狭めて正面輝度を向上させる。即ち、前記第１プリズムシート３４及び第２プリズムシート３６は、前記拡散シート３２から入射した前記第４光を、前記液晶表示パネル４０の表示面と平行な平面上で互いに直交する第１方向Ｄ１及び第２方向Ｄ２に関して集光して、正面輝度が向上された第５光に出射させる。
【００１６】
前記保護シート３８は、前記第２プリズムシート３６の表面を保護し、前記第１プリズムシート３４及び第２プリズムシート３６によるモアレ及び虹（ｒａｉｎｂｏｗ）現象を防止する。
【００１７】
このように、ランプ１２から発生して多数の光学的シートを通過した前記第５光は、前記液晶表示パネル４０により画像として表示される。
【００１８】
前述した従来の液晶表示装置５０は、前記導光板２０からガイドされた光を拡散及び集光して、正面方向への輝度を増加させるための多数のシート３２、３４、３６、３８を具備する。このような構造は、前記液晶表示装置の表示特性を向上させることはできるが、多数のシート３２、３４、３６、３８を必要とする。このために、前記液晶表示装置５０の組立工程が複雑になり、全体的なサイズ及び重さが増加される。
【発明の開示】
【発明が解決しようとする課題】
【００１９】
従って、本発明の目的は、正面輝度を増加させながら、薄型化及び軽量化を具現することができる液晶表示装置を提供することにある。
【課題を解決するための手段】
【００２０】
前述した目的を達成するための本発明による液晶表示装置は、第１光を発生するための光源と、前記第１光が入射する入射面と、前記第１光をガイドして第２光を出射するための第１出射面と、前記入射面を挟んで前記第１出射面と向かい合うように連結され、前記第１出射面を通じて入射する第３光を出射するための第２出射面とで構成された導光板と、前記導光板の前記第１出射面の下側に具備され、前記第１出射面と向かい合う反射面においてプリズム形状に突出した多数の突出部を有し、前記第２光を反射して正面輝度が向上された前記第３光を前記導光板に提供するための反射板と、前記導光板から前記第３光の提供を受けて画像を表示するための液晶表示パネルと、を含む。
【００２１】
ここで、前記反射板は、支持層と、前記支持層の表面からプリズム形状に突出し、前記支持層の第１端部から前記第１端部と反対に位置する第２端部に延長して形成された多数の突出部を有する集光層と、前記集光層の全面を覆い、前記集光層上に均一な厚さで提供された反射層と、で構成される。
【００２２】
前述した目的を達成するための本発明による液晶表示装置は、第１光を発生するための光源と、前記第１光が入射する入射面と、前記第１光をガイドして第２光を出射するための光ガイドパターンを具備する第１出射面と、前記入射面を挟んで前記第１出射面と向かい合うように連結され、前記第１出射面を通じて入射した第３光を出射させるための第２出射面とで構成された導光板と、前記導光板の前記第１出射面の下側に具備され、前記第１出射面と向かい合う反射面においてプリズム形状に形成された多数の突出部を有し、前記第２光を反射して正面輝度が向上された第３光として前記導光板に提供するための反射板と、前記第３光の提供を受けて画像を表示するための液晶表示パネルと、を含む。
【００２３】
前記多数の光ガイドパターンは、前記第１出射面から前記反射板に向かって所定の高さに突出し、ドット形状に形成され、前記第１光を前記反射板側にガイドする。
【００２４】
本発明によると、前記反射板の表面が三角プリズム形状に形成され、前記導光板により前記反射板側にガイドされた前記第２光を正面輝度が向上された第３光に集光して前記液晶表示パネル側に反射させる。従って、前記液晶表示装置は、前記反射板により正面輝度を向上させることができるのみならず、全体的なサイズ及び重さを最小化することができる。
【発明を実施するための最良の形態】
【００２５】
以下では、添付図面を参照して、本発明をより詳細に説明する。
【００２６】
図３は、本発明の好ましい一実施例による液晶表示装置を具体的に示した分解斜視図であり、図４は、図３に図示された液晶表示装置を具体的に示した断面図である。
【００２７】
図３及び図４を参照すると、液晶表示装置６００は、画像を表示するための液晶表示パネル５００と、前記液晶表示パネル５００に均一な光を供給するためのバックライトアセンブリ４５０とで構成される。
【００２８】
前記液晶表示パネル５００は、スイッチング素子と画素電極などが形成されたＴＦＴ基板（図示せず）、ＲＧＢ画素及び共通電極が形成されたカラーフィルター基板（図示せず）、及び前記ＴＦＴ基板と前記カラーフィルター基板との間に位置する液晶（図示せず）を含む。
【００２９】
液晶表示装置６００は、自発的に発光しない受動光素子なので、液晶表示パネル５００の後面側に配置され前記液晶表示パネル５００側に光を提供するためのバックライトアセンブリ４５０を更に具備する。
【００３０】
前記バックライトアセンブリ４５０は、第１光Ｌ１を発生するランプ１２０と前記ランプ１２０の一側を覆うためのランプカバー１４０とで構成された光源部１００、及び前記光源部１００からの第１光Ｌ１の経路を変更して向上された正面輝度を有する第２光Ｌ２を前記液晶表示パネル５００側に提供するための導光部で構成される。
【００３１】
具体的に、前記導光部は、前記第１光Ｌ１をガイドするための導光板２００及び前記導光板２００からガイドされた第３光Ｌ３の提供を受けて、前記液晶表示パネル５００に対して向上された正面輝度を有する前記第２光Ｌ２に反射させるための反射板３００を具備する。
【００３２】
前記ランプ１２０としては冷陰極線管が主に用いられ、前記第１光Ｌ１は前記導光板２００の側面、即ち、前記ランプ１２０が具備される入射面２１０を通じて入射する。前記ランプカバー１４０の内面には反射部材が形成され、前記ランプ１２０から放射状に発生した前記第１光Ｌ１を、前記導光板２００の入射面２１０側に反射させて前記第１光Ｌ１の効率を向上させる。
【００３３】
前記導光板２００は、前記光源部１００が具備された一側から前記一側と反対に位置する他側までの厚さが均一な平板型導光板である。前記導光板２００は平板型に限定されず、前記光源部１００が具備された一側から前記一側と反対に位置する他側に行くほど厚さが薄くなるウェッジ型導光板とすることもできる。
【００３４】
前記導光板２００は、一般的に強度が高く割れにくくかつ変形されにくいという理由で、軽く透明なアクリル樹脂（例えばｐｏｌｙｍｅｔｈｙｌｍｅｔｈａｃｒｙｌａｔｅ：ＰＭＭＡ）系列が用いられる。従って、前記導光板２００は１.４９の屈折率を有する。
【００３５】
前記導光板２００は、前記光源部１００が配置された側に具備され、前記第１光Ｌ１が入射する入射面２１０、前記反射板３００と向かい合って前記第１光Ｌ１を前記反射板３００側にガイドして第３光Ｌ３を出射するためのガイド面２２０、及び前記液晶表示パネル５００と向かい合い、前記反射板３００によって反射された前記第２光Ｌ２を前記液晶表示パネル５００側に通過させるための出射面２３０で構成される。前記ガイド面２２０には、前記第１光Ｌ１を前記反射板３００側にガイドするための多数の光ガイドパターン２２１が形成される。前記光ガイドパターン２２１については、図面を参照して後述する。
【００３６】
前記反射板３００は、図面において前記導光板２００の下側に配置される。この際、前記導光板２００のガイド面２２０と対面する前記反射板３００の表面には、三角プリズム形状の多数の突出部が形成される。従って、前記反射板３００は、前記導光板２００からガイドされた前記第３光Ｌ３を前記反射板３００により向上された正面輝度を有する前記第２光Ｌ２に変更して、前記液晶表示パネル５００側に反射させる。
【００３７】
一方、図示してないが、前記導光板と前記液晶表示パネルとの間には、拡散シート又は保護シートが更に具備されることができる。
【００３８】
以下では、図５ａ乃至図９ｂを参照して、本発明による反射板の構造を具体的に説明する。
【００３９】
図５ａ乃至図５ｃは、本発明の第１実施例による反射板の製造工程を示した断面図であり、図６は、図５ｃに図示された反射板の構造を具体的に示した斜視図である。
【００４０】
図５ａ乃至図５ｃを参照すると、前記反射板３００は、支持層３１０上に多数の第１突出部３２５ａを有する第１集光層３２０が形成された後、その上に第１反射層３３０が形成されることにより完成される。
【００４１】
図５ａに示したように、ポリ−エチレンテレフタレート（以下、ＰＥＴ）系列からなる前記支持層３１０が用意されると、図５ｂに示したように、前記支持層３１０上にアクリル樹脂からなる前記第１集光層３２０がコーティングされる。前記第１集光層３２０は、前記支持層３１０上に三角プリズム形状の多数の第１突出部３２５ａが形成された層である。
【００４２】
前記多数の第１突出部３２５ａは、それぞれ前記支持層３１０の表面から第１角Ａ１で傾く第１傾斜面３２１ａと、前記支持層３１０の表面から第２角Ａ２で傾く第２傾斜面３２２ａで構成される。前記第１傾斜面３２１ａの第１端部は、前記第２傾斜面３２２ａの第２端部と噛み合って一つの第１頂点３２３ａを形成する。前記第１頂点３２３ａは、角張ったピーク形状を有する。
【００４３】
一方、前記第１角Ａ１及び第２角Ａ２は、それぞれ３０°〜４５°の範囲内にあることが好ましい。従って、第１傾斜面３２１ａと第２傾斜面３２２ａが形成する前記第１頂点３２３ａの角は、三角形の内角の合計から前記第１角Ａ１及び第２角Ａ２の合計を引いた９０°〜１２０°の範囲内にある。又、前記多数の第１突出部３２５ａは、前記第１角Ａ１及び第２角Ａ２が同様に形成されることが好ましい。
【００４４】
前記第１角Ａ１及び第２角Ａ２を３０°〜４５°の範囲に設定する理由については、図面を参照して後述する。
【００４５】
図５ｃを参照すると、前記第１集光層３２０上には、第１反射層３３０が均一な厚さに形成される。この際、前記第１反射層３３０は、酸化アルミニウム（Ａｌ２Ｏ３）からなり、蒸着により前記第１集光層３２０上に形成される。この際、前記第１反射層３３０は、前記第１集光層３２０上に均一な厚さに形成されるので、前記第１集光層３２０の表面構造と同じ表面構造を有する。即ち、前記第１反射層３３０は、前記支持層３１０と前記第１角Ａ１で傾く第１反射面３３１ａと、前記支持層３１０と前記第２角Ａ２で傾く第２反射面３３２ａで構成される。この際、前記第１反射面３３１ａの第３端部と前記第２反射面３３２ａの第４端部が噛み合って一つの第２頂点３３３ａを形成し、前記第２頂点３３３ａは、ピーク形状を有する。
【００４６】
図６に示したように、前記多数の第１突出部３２５ａは、前記反射板３００の一端部から前記一端部の反対に位置する他端部まで延長して形成される。この際、前記多数の第１突出部３２５ａは、それぞれが平行に連続的に形成される。具体的に、前記多数の第１突出部３２５ａは、前記ランプ１２０の長さ方向に延長され前記ランプ１２０と平行な関係を形成する。
【００４７】
従って、前記ランプ１２０から発生した第１光Ｌ１が、前記第１突出部３２５ａの第１反射面３３１ａ及び第２反射面３３２ａに達し、前記導光板２００側に反射されることができる。
【００４８】
図７及び図８は、本発明の第２実施例による反射板の構造を示した図である。
【００４９】
図７を参照すると、前記第２集光層３２７は、第１傾斜面３２１ｂと第２傾斜面３２２ｂで構成され、前記第１傾斜面３２１ｂ及び第２傾斜面３２２ｂが噛み合って形成された前記第１頂点３２３ｂがラウンド形態（丸みを有した形態）に形成された多数の第２突出部３２５ｂを有する。また、前記第２反射層３３５は、前記第２集光層３２７上に均一な厚さに提供される。従って、前記第２反射層３３５は、第１反射面３３１ｂと第２反射面３３２ｂで構成され、前記第１反射面３３１ｂ及び第２反射面３３２ｂが噛み合って形成された第２頂点３３３ｂもラウンド形態に形成される。
【００５０】
前述したように、前記反射板３００の第２頂点３３３ｂをラウンド形態に形成することにより、前記第２頂点３３３ｂが角張ったヒ゜ーク形態に形成された時に対して、前記反射板３００に加わる外部からの衝撃を緩和させることができる。
【００５１】
図８に示したように、前記多数の第２突出部３２５ｂは、前記反射板３００の一端部から前記一端部の反対に位置する他端部まで延長して形成される。この際、前記多数の第２突出部３２５ｂは、それぞれが平行に連続的に形成される。具体的に、前記多数の第２突出部３２５ｂは、前記ランプ１２０の長さ方向に延長され前記ランプ１２０と平行な関係を形成する。
【００５２】
従って、前記ランプ１２０から発生した第１光Ｌ１が前記第２突出部３２５ｂの第１反射面３３１ｂ及び第２反射面３３２ｂに達し、前記導光板２００側に反射されることができる。
【００５３】
以下、図９及び図１０を参照して、図５ｃに図示された反射層上に保護層が更に形成された構造を有する反射板を説明する。図９及び図１０を説明することにおいて、図５ｃに図示された構成要素と同じ構成要素については、同じ参照番号を付与して、その詳細な説明は省略する。
【００５４】
図９は、本発明の第３実施例による反射板の構造を示した断面図である。
【００５５】
図９を参照すると、前記反射板３００は、支持層３１０、前記支持層３１０上に形成され、多数の突出部３２５ａを有する集光層３２０、その上に均一な厚さに積層された反射層３３０、及び前記反射層３３０上に均一な厚さに積層され前記反射層３３０を保護するための保護層３７０で構成される。
【００５６】
前記保護層３７０は、前記反射層３３０を保護するのみならず、前記反射層３３０によって反射された後、出射する前記第３光の進行を妨害しないように、透明であり、屈折率が小さい物質で構成されることが好ましい。ここでは、一例としてＰＥＴ系列、又はインジウムティンオキサイド（ＩＴＯ）を提示する。
【００５７】
前記保護層３７０は、前記反射層３３０上に均一な厚さに形成されるので、前記反射層３３０と同じ表面構造を有する。
【００５８】
このように、前記反射層３３０上に前記保護層３７０を形成することにより、前記反射層３３０が外部からの衝撃により損傷されることを防止する。前記保護層３７０は、前記反射層３３０を保護することができる程度に充分に厚く形成することが好ましいが、そうすると、前記液晶表示装置の厚さが増加するので、その点で過度とならない程度の厚さを維持することが好ましい。
【００５９】
図１０は、本発明の第４実施例による反射板の構造を示した断面図である。
【００６０】
図１０を参照すると、前記反射板３００は、支持層３１０、前記支持層３１０上に形成され、多数の突出部３２５ａを有する集光層３２０、その上に均一な厚さに積層された反射層３３０及びフラットな表面構造を有し、前記反射層３３０上に積層され前記反射層３３０を保護するための保護層３８０で構成される。
【００６１】
ここで、前記保護層３８０は、前記反射層３３０の構造と関係なく、フラットな表面構造を有するので、外部からの衝撃を緩和させることにより、前記反射層３３０をより確実に保護することができる。
【００６２】
図１１ａ乃至図１１ｂは、本発明の第５実施例による反射板の製造工程を示した断面図である。
【００６３】
図１１ａ及び図１１ｂを参照すると、ＰＥＴからなる前記支持層３１０上に多数の第３突出部３４５が形成された第３反射層３４０が形成される。具体的に、前記多数の第３突出部３４５は、前記支持層３１０の表面から第１角Ａ１で傾く第３反射面３４１と、前記支持層３１０の表面から第２角Ａ２で傾く第４反射面３４２で構成される。この際、前記第３反射面３４１の第５端部と前記第４反射面３４２の第６端部が噛み合って一つの第３頂点３４３を形成する。
【００６４】
以下では、図１２ａ乃至図１４ｃを参照して、前記反射板３００の前記第３突出部３４５の第１角Ａ１及び第２角Ａ２を３０°〜４５°に設定する理由について、具体的に説明する。但し、前記導光板２００は、ＰＭＭＡ物質からなるので、前記導光板２００の屈折率は１.４９である。ここで、前記第３光Ｌ３が前記導光板２００の前記光ガイドパターン２２１から５０°、６０°、及び７０°の出射角で出射された場合を例として説明する。但し、前記導光板２００から出射される前記第３光Ｌ３の出射角を、５０°、６０°、及び７０°を例として説明した理由については、後に図面を参照して具体的に説明する。
【００６５】
図１２ａ乃至図１４ｃは、反射板の構造を説明するための図である。
【００６６】
ここで、入射角は、入射光と面の法線が成す角と定義し、出射角は、出射光と支持層から垂直に伸ばした線とが成す角と定義し、反射角は、反射光と面の法線が成す角と定義し、屈折角は、屈折して出射された出射光と面の法線が成す角と定義する。又、「−」は、前記第３反射面３４１の法線を基準に前記支持層３１０が位置した側と定義し、「＋」は、前記第３反射面３４１の法線を基準に前記液晶表示パネル５００が位置した側と定義する。
【００６７】
図１２ａ乃至図１２ｃに示したように、前記第３反射層３４０は、前記支持層３１０と第１角Ａ１で傾く前記第３反射面３４１、及び前記支持層３１０と第２角Ａ２で傾く前記第４反射面３４２で構成される。ここで、前記第３光Ｌ３が前記光ガイドパターン２２１から第１出射角θ１、第２出射角θ２、及び第３出射角θ３で出射される場合を例として説明する。
【００６８】
まず、図１２ａを参照すると、前記第３反射面３４１は、前記支持層３１０に対して、第１角Ａ１、即ち３０°の角で傾いている。前記第３光Ｌ３は、前記光ガイドパターン２２１から第１出射角θ１、即ち、７０°の角で出射され前記第３反射面３４１に入射する。この際、前記第３光Ｌ３は、前記第１角Ａ１及び第１出射角θ１によって第１入射角α１、即ち、−４０°の角で入射する。以後、前記第３光Ｌ３は、前記第３反射面３４１から前記第１入射角α１と同じ第１反射角β１、即ち、＋４０°の角を有する第２光Ｌ２として反射され、前記液晶表示パネル５００側に進行する。
【００６９】
図１２ｂを参照すると、前記第３反射面３４１は、前記支持層３１０に対して第１角Ａ１、即ち、３０°の角で傾いている。前記第３光Ｌ３は、前記光ガイドパターン２２１から第２出射角θ２、即ち、６０°の角で出射され、前記第３反射面３４１に入射する。この際、前記第３光Ｌ３は、前記第１角Ａ１及び第２出射角θ２によって第２入射角α２、即ち、−３０°の角で入射する。以後、前記第３光Ｌ３は、前記第３反射面３４１から前記第２入射角α２と同じ第２反射角β２、即ち、＋３０°の角を有する第２光Ｌ２として反射され、前記液晶表示パネル５００側に進行する。
【００７０】
図１２ｃを参照すると、前記第３反射面３４１は、前記支持層３１０に対して第１角Ａ１、即ち、３０°の角で傾いている。前記第３光Ｌ３は、前記光ガイドパターン２２１から第３出射角θ３、即ち、５０°の角で出射され前記第３反射面３４１に入射する。この際、前記第３光Ｌ３が、前記第１角Ａ１及び第３出射角θ３により第３入射角α３、即ち、−２０°の角で入射する。以後、前記第３光Ｌ３は、前記第３反射面３４１から前記第３入射角α３と同じ第３反射角β３、即ち、＋２０°の角を有する第２光Ｌ２として反射され、前記液晶表示パネル５００側に進行する。
【００７１】
図１２ａ乃至図１２ｃに示したように、前記反射板３００の第３反射面３４１及び第４反射面３４２が、前記支持層３１０と３０°の角で傾いている時、前記導光板２００から出射される前記第３光Ｌ３が６０°角で出射されるように、前記第３光Ｌ３の出射角を調節することが最も好ましい。こうすると、前記反射板３００により反射された前記第２光Ｌ２が、前記導光板２００に対して正面方向に進行することができる。
【００７２】
一方、図１３ａ乃至図１３ｃに示した例では、前記第１反射層３３０は、前記支持層３１０と第３角Ｂ１で傾く前記第５反射面３５１、及び前記支持層３１０と第４角Ｂ２で傾く前記第６反射面３５２で構成される。ここで、前記第３光Ｌ３が前記光ガイドパターン２２１から第１出射角θ１、第２出射角θ２、及び第３出射角θ３で出射された場合を例として説明する。
【００７３】
図１３ａを参照すると、前記第５反射面３５１は、前記支持層３１０に対して、第３角Ｂ１、即ち、４５°の角で傾いている。前記第３光Ｌ３は、前記光ガイドパターン２２１から第１出射角θ１、即ち、７０°の角で出射され前記第５反射面３５１に入射する。この際、前記第３光Ｌ３は、前記第３角Ｂ１及び第１出射角θ１により第４入射角α４、即ち、−２５°の角で入射する。以後、前記第３光Ｌ３は、前記第５反射面３５１から前記第４入射角α４と同じ第４反射角β４、即ち、＋２５°の角を有する第２光Ｌ２として反射され、前記液晶表示パネル５００側に進行する。
【００７４】
図１３ｂを参照すると、前記第５反射面３５１は、前記支持層３１０に対して第３角Ｂ１、即ち、４５°の角で傾いている。前記第３光Ｌ３は、前記光ガイドパターン２２１から第２出射角θ２、即ち、６０°の角で出射され、前記第５反射面３５１に入射する。この際、前記第３光Ｌ３は、前記第３角Ｂ１及び第２出射角θ２により第５入射角α５、即ち、−１５°の角で入射する。以後、前記第３光Ｌ３は、前記第５反射面３５１から前記第５入射角α５と同じ第５反射角β５、即ち、＋１５°の角を有する第２光Ｌ２として反射され、前記液晶表示パネル５００側に進行する。
【００７５】
図１３ｃを参照すると、前記第５反射面３５１は、前記支持層３１０に対して第３角Ｂ１、即ち、４５°の角で傾いている。前記第３光Ｌ３は、前記光ガイドパターン２２１から第３出射角θ３、即ち、５０°の角で出射され、前記第５反射面３５１に入射する。この際、前記第３光Ｌ３は、前記第３角Ｂ１及び第３出射角θ３により第６入射角α６、即ち、−５°の角で入射する。以後、前記第３光Ｌ３は、前記第５反射面３５１から前記第６入射角α６と同じ第６反射角β６、即ち、＋５°の角を有する第２光Ｌ２として反射され前記液晶表示パネル５００側に進行する。
【００７６】
図１３ａ乃至図１３ｃに示したように、前記第２光Ｌ２は、前記第３反射面３４１によって反射される時に対して、相対的に正面方向に進行する確率が少ないが、概ね前記反射板３００の上側に具備された前記液晶表示パネル５００の正面方向に向かって進行する。
【００７７】
一方、図１４ａ乃至図１４ｃに示したように、前記第５反射層３６０は、前記支持層３１０と第５角Ｃ１で傾く前記第７反射面３６１、及び前記支持層３１０と第６角Ｃ２で傾く前記第８反射面３６２で構成される。ここで、前記第３光Ｌ３が前記光ガイドパターン２２１から第１出射角θ１、第２出射角θ２、及び第３出射角θ３で出射された場合を例として説明する。
【００７８】
図１４ａを参照すると、前記第７反射面３６１は前記支持層３１０に対して第５角Ｃ１、即ち、６０°の角で傾いている。前記第３光Ｌ３は、前記光ガイドパターン２２１から第１出射角θ１、即ち、７０°の角で出射されて前記第７反射面３６１に入射する。この際、前記第３光Ｌ３は、前記第５角Ｃ１及び第１出射角θ１によって第７入射角α７、即ち、−１０°の角で入射する。以後、前記第３光Ｌ３は、前記第７反射面３６１から前記第７入射角α７と同じ第７反射角β７、即ち、＋１０°の角を有する第２光Ｌ２として反射されて前記液晶表示パネル５００側に進行する。
【００７９】
図１４ｂを参照すると、前記第７反射面３６１は、前記支持層３１０に対して第５角Ｃ１、即ち、６０°の角で傾いている。前記第３光Ｌ３は、前記光ガイドパターン２２１から第２出射角θ２、即ち、６０°の角で出射されて前記第７反射面３６１に入射する。この際、前記第３光Ｌ３は、前記第５角Ｃ１及び第２出射角θ２により第８入射角α８、即ち、−０°の角で入射する。即ち、前記第３光Ｌ３は、前記第７反射面３６１の法線と平行に入射する。従って、前記第３光Ｌ３は、前記第８入射角α８と同じ角で反射される。
【００８０】
図１４ｃを参照すると、前記第７反射面３６１は、前記支持層３１０に対して第５角Ｃ１、即ち、６０°の角で傾いている。前記第３光Ｌ３は、前記光ガイドパターン２２１から第３出射角θ３、即ち、５０°の角で出射されて前記第７反射面３６１に入射する。この際、前記第３光Ｌ３は、前記第５角Ｃ１及び第３出射角θ３により第９入射角α９、即ち、＋１０°の角で入射する。以後、前記第３光Ｌ３は、前記第７反射面３６１から前記第９入射角α９と同じ第９反射角β９、即ち、−１０°の角を有する前記第２光Ｌ２として反射される。
【００８１】
図１４ａ乃至図１４ｃに示したように、前記第２光Ｌ２は、大部分前記反射板３００の上側に具備された前記液晶表示パネル５００の正面方向には進行しない。
【００８２】
図１２ａ乃至図１４ｃを参照して説明したように、前記支持層３１０と前記反射板３００の反射面が成す角が３０°と４５°である時、前記第２光Ｌ２が主に前記液晶表示パネル５００の正面方向に進行する。従って、前記支持層３１０と前記反射板３００の反射面が成す角は、３０°〜４５°の範囲であることが好ましい。
【００８３】
図１５は、図３に図示された導光板の構造を具体的に示した断面図であり、図１６は、図１５に図示されたＡ部分を具体的に示した斜視図である。
【００８４】
図１５を参照すると、前記導光板２００は、前記光源部１００が配置された側に具備され、前記第１光Ｌ１が入射する入射面２１０、前記反射板３００の前記第１反射層３３０と対面して、前記第１光Ｌ１を前記反射板３００側にガイドして、前記第３光Ｌ３を出射するためのガイド面２２０、及び前記ガイド面２２０の反対に位置して前記反射板３００により反射された前記第２光Ｌ２を通過させるための出射面２３０で構成される。
【００８５】
前記ガイド面２２０は前記反射板３００側に突出して、前記第１光Ｌ１を前記反射板３００側にガイドするための光ガイドパターン２２１を具備する。前記光ガイドパターン２２１は、前記ガイド面２２０上にドット形態に形成される。この際、前記光ガイドパターン２２１は、前記導光板２００に一体に形成される。即ち、前記光ガイドパターン２２１は、前記導光板２００を形成する時、射出成形によって形成される。
【００８６】
図１６に示したように、前記光ガイドパターン２２１（ここでは該パターンを形成する個々の要素も同じ用語で表現する）は、六面体形態を有し、前記ガイド面２２０と同一面となる第１面２２１ａ、前記第１面２２１ａの反対面である第２面２２１ｂ、前記第１面２２１ａ及び第２面２２１ｂと隣接した４つの側面、即ち、第１側面乃至第４側面２２１ｃ、２２１ｄ、２２１ｅ、２２１ｆで構成される。
【００８７】
前記光ガイドパターン２２１は、前記第１面２２１ａ、第２面２２１ｂ、及び前記第１側面乃至第４側面２２１ｃ、２２１ｄ、２２１ｅ、２２１ｆが直六面体形状、例えば正六面体形状を有するように形成される。又、前記光ガイドパターン２２１は、前記第１面２２１ａから前記第２面２２１ｂまでの距離ｄ１が、前記４つの側面２２１ｃ、２２１ｄ、２２１ｅ、２２１ｆのうち、向かい合う側面の間の距離ｄ２より長い直六面体形状に形成されることができる。即ち、前記「ｄ１」を「ｄ２」に対して１.４倍大きく形成することにより、前記第２光Ｌ２が前記反射板３００側にガイドされる確率を増加させる。
【００８８】
この際、前記４つの側面２２１ｃ、２２１ｄ、２２１ｅ、２２１ｆの間の距離ｄ２は、前記第１面２２１ａから前記第２面２２１ｂに渡る範囲の間で一定に維持される。
【００８９】
前述したように、前記光ガイドパターン２２１を前記導光板２００に一体に形成し、前記４つの側面２２１ｃ、２２１ｄ、２２１ｅ、２２１ｆの間の距離ｄ２を一定に維持することにより、前記反射板３００により正面輝度が向上され、更に前記導光板２００のガイド面２２０を通じて入射した前記第２光Ｌ２の光特性が変わることを防止する。即ち、前記液晶表示パネル３００に対して正面方向に進行する前記第２光Ｌ２が、前記光ガイドパターン２２１によって屈折され、正面方向に進行されない現象を最小化する。
【００９０】
ここで、本発明の理解を助けるために、前記導光板２００の光特性を説明する。
【００９１】
図１５に示したように、前記導光板２００は、ＰＭＭＡ系列の物質からなるので、１.４９の屈折率を有する。従って、前記導光板２００の臨界角は、ほぼ４２.１５６°である。
【００９２】
前記導光板２００の入射面２１０を通じて入射した前記第１光Ｌ１は、前記導光板２００の出射面２３０側に進行して前記出射面２３０と接触される。この際、前記第１光Ｌ１は、前記第１光Ｌ１と前記出射面２３０の法線が成す角（以下、第１０入射角α１０）が、前記臨界角より大きいと反射され、前記臨界角より小さいと所定の角度で屈折して出射される。
【００９３】
前記第１光Ｌ１が前記出射面２３０を通過して出射される場合、前記導光板２００の屈折率は、空気の屈折率より大きいので、前記第１光Ｌ１は前記第１０入射角α１０より大きい第１屈折角γ１で出射される。
【００９４】
一方、前記第１光Ｌ１が前記出射面２３０により反射される場合、前記出射面２３０により反射された第４光Ｌ４は、前記導光板２００のガイド面２２０側に進行する。ここで、前記第１光Ｌ１は、前記第１０入射角α１０と同じ第１０反射角β１０で反射される。
【００９５】
以後、前記第４光Ｌ４は、前記ガイド面２２０側に進行して、前記光ガイドパターン２２１の第２側面２２１ｄに達する。この際、前記第４光Ｌ４と前記第２側面２２１ｄの法線が成す角（以下、第１１入射角；α１１）が前記導光板２００の臨界角より小さいので、前記第４光Ｌ４は、前記第２側面２２１ｄを通過して出射する。
【００９６】
即ち、前記光ガイドパターン２２１は、前記導光板２００と同じ物質で形成されるので、前記光ガイドパターン２２１の屈折率は１.４９であり、臨界角も前記導光板２００と同じである４２.１５６°である。ここで、前記第４光Ｌ４は、前記臨界角より小さいので、前記第１１入射角α１１より大きい第２屈折角γ２で前記反射板３３０側に出射される。
【００９７】
ここで、前記第２屈折角γ２は、次の式１により定義される。
Ｎ×ＳＩＮα１１＝ＳＩＮγ２      ………  （１）
【００９８】
ここで、「Ｎ」は前記導光板２００の屈折率であり、前記「α１１」は前記第１１入射角であり、前記「γ２」は前記第２屈折角である。
【００９９】
前述したように、前記第３光Ｌ３が前記導光板２００から前記反射板３００側に出射されるためには、前記第１１入射角α１１が前記導光板２００の臨界角より小さい必要があるので、前記第１１入射角α１１は、０°〜４２.１５６°の範囲に存在する。従って、前記第２屈折角γ２は、前記式１によってほぼ０°〜４７.８４４の角を有する。即ち、前記第３光Ｌ３は、４２.１５６°〜９０°の第２出射角θ２を有する。
【０１００】
前記導光板２００から出射される前記第３光Ｌ３が、４２.１５６°〜９０°内に存在するので、前述したように前記反射板３００の第１突出部３２０は、前記支持層３１０と３０°〜４５°内にある角で傾く第１反射面３３１及び第２反射面３３２で構成される。例えば、前記第３光Ｌ３が６０°の角で出射されると、前記第１反射面３３１及び第２反射面３３２は、前記支持層３１０から３０°の角で傾いて形成されると都合がよく、前記第３光Ｌ３が９０°の角で出射されると、前記第１反射面３３１及び第２反射面３３２は、前記支持層３１０から４５°の角で傾いて形成されると都合がよい。
【０１０１】
このようにすると、前記反射板３００は、前記第３光Ｌ３を前記導光板２００に対して正面方向に進行する第２光Ｌ２を出射させることができる。
【０１０２】
図１７は、図１５に図示された導光板のガイド面を具体的に示した平面図であり、図１８は、図１７に図示されたＢ部分及びＣ部分を拡大して示した図である。
【０１０３】
図１７及び図１８を参照すると、前記導光板２００のガイド面２２０には、多数の光ガイドパターン２２１が形成される。前記光ガイドパターン２２１の間の間隔は、前記光源部１００から離れるほど狭くなる。前記ガイド面２２０うち、前記光源部１００と近接したＣ領域と前記Ｃ領域の反対に位置し、前記Ｃ領域と同じ面積を有するＢ領域を拡大して比較すると、前記Ｃ領域には４つの光ガイドパターン２２１が形成され、前記Ｂ領域には９つの光ガイドパターン２２１が形成される。即ち、前記光源部１００から離れるほど、単位面積当たりの前記光ガイドパターン２２１の個数が増加されることにより、前記光ガイドパターン２２１の密度が増加する。
【０１０４】
前記光ガイドパターン２２１を、前述したように形成する理由は、次のようである。
【０１０５】
一般に、前記光源部１００は、前記導光板２００の一側に具備されるので、前記光源部１００が具備された一側では輝度が高い反面、前記一側と反対に位置する他側は相対的に輝度が低い。即ち、前記光源部１００から離れるほど相対的に輝度が低くなる。このような輝度差を補償するために、前記光ガイドパターン２２１を前記光源部１００から離れるほど稠密に形成する。
【０１０６】
従って、前記光源部１００と近接したＣ領域から前記反射板３００に進行する光量と、前記Ｃ領域に比較して前記光源部１００からの距離が遠い前記Ｂ領域から前記反射板３００に進行する光量がほぼ同じになる。
【０１０７】
一方、図示してないが、前記光源部が前記導光板の一側及び前記一側と反対に位置する他側にそれぞれ具備される場合、前記光ガイドパターンの間の間隔は、前記一側及び他側から離れるほど狭くなる。即ち、前記導光板の中央部分で前記光ガイドパターンの密度が最も高くなる。従って、前記光源部が設置された一側及び他側での輝度と、前記中央部分での輝度差を補償することができる。
【０１０８】
図１９は、本発明によるバックライトアセンブリでの光経路を具体的に示した図である。但し、前記光源部１００からの第１光Ｌ１が、前記導光板２００の出射面２３０に第１０入射角α１０で入射する時、前記第１０入射角α１０が７０°である場合を例として説明する。
【０１０９】
図１９を参照すると、前記光源部１００からの第１光Ｌ１が前記導光板２００の出射面２３０側に進行して、前記出射面２３０に達する。前記第１光Ｌ１は、前記出射面２３０に第１０入射角α１０、即ち、７０°の角で入射する。この際、第１０入射角α１０は、前記導光板２００の臨界角、即ち、４２.１５６°より大きいので、前記第１光Ｌ１は、前記第１０入射角α１０と同じ第１０反射角β１０を有し、前記ガイド面２２０側に反射される。
【０１１０】
前記出射面２３０により反射された前記第４光Ｌ４は、前記ガイド面２２０側に進行して、前記光ガイドパターン２２１の第２側面２２１ｄに達する。前記第３光Ｌ３は、前記第２側面２２１ｄに第１１入射角α１１で入射する。この際、前記第２側面２２１ｄは、前記出射面２３０と垂直なので、前記第１１入射角α１１は２０°である。前記第１１入射角α１１は、前記導光板２００の臨界角、即ち、４２.１５６°より小さいので、前記第３光Ｌ３は前記第２側面２２１ｄの法線を基準に前記第４光Ｌ４の第１１入射角α１１より大きい第２屈折角γ２を有し、前記反射板３００側に出射される。この際、前記第２屈折角γ２は、前記式１によりほぼ３０°になる。
【０１１１】
従って、前記第３光Ｌ３は、前記第２側面２２１ｄから第２出射角θ２、即ち、ほぼ６０°の角で出射される。以後、前記第３光Ｌ３は、前記反射板３００側に進行して、前記反射板３００の第３反射面３４１に達する。この際、前記第３反射面３４１は、前記支持層３１０と前記第１角Ａ１、即ち、３０°の角で傾いているので、前記第３反射面３４１は、前記第２側面２２１ｄの延長線２２１ｇと６０°の角を成す。従って、前記第３光Ｌ３が前記第３反射面３４１に入射した第２入射角α２は３０°になる。即ち、前記第３光Ｌ３は、前記第３反射面３４１の法線と−３０°の角を成す。
【０１１２】
前記第３光Ｌ３は、前記第３反射面３４１から前記第２入射角α２と同じ第２反射角β２、即ち、＋３０°の角で反射され、前記導光板２００の出射面２３０に対して正面方向に進行する第２光Ｌ２として出射される。従って、前記液晶表示パネル５００は、正面輝度が向上された第２光Ｌ２によって画像を表示する。
【産業上の利用可能性】
【０１１３】
本発明によると、光源から発生した第１光は導光板側に入射した後、前記導光板によって経路が変更されて反射板側にガイドされた第２光として出射される。以後、前記第２光は三角プリズム形状の表面構造を有する前記反射板によって集光され、正面輝度が向上された第３光として反射される。液晶表示パネルは、正面輝度が向上された前記第３光の提供を受けて画像を表示する。
【０１１４】
従って、前記液晶表示装置は、プリズム形態に形成された前記反射板により正面輝度を増加させることができる。又、前記反射板が従来のプリズムシートの役割を行うことにより、前記液晶表示装置に必要な光学シート数を低減することができ、前記液晶表示装置の全体的なサイズ及び重さを最少化することができる。
【０１１５】
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【０１１６】
【図１】従来の液晶表示装置を示した斜視図である。
【図２】図１に図示された液晶表示装置の断面図である。
【図３】本発明の好ましい一実施例による液晶表示装置を示した斜視図である。
【図４】図３に図示された液晶表示装置を具体的に示した断面図である。
【図５Ａ】本発明の第１実施例による反射板の製造工程を示した断面図である。
【図５Ｂ】本発明の第１実施例による反射板の製造工程を示した断面図である。
【図５Ｃ】本発明の第１実施例による反射板の製造工程を示した断面図である。
【図６】図５Ｃに図示された反射板の構造を具体的に示した斜視図である。
【図７】本発明の第２実施例による反射板の構造を示した図である。
【図８】本発明の第２実施例による反射板の構造を示した図である。
【図９】本発明の第３実施例による反射板の構造を示した図である。
【図１０】本発明の第４実施例による反射板の構造を示した図である。
【図１１Ａ】本発明の第５実施例による反射板の製造工程を示した断面図である。
【図１１Ｂ】本発明の第５実施例による反射板の製造工程を示した断面図である。
【図１２Ａ】反射板の構造を説明するための図である。
【図１２Ｂ】反射板の構造を説明するための図である。
【図１２Ｃ】反射板の構造を説明するための図である。
【図１３Ａ】反射板の構造を説明するための図である。
【図１３Ｂ】反射板の構造を説明するための図である。
【図１３Ｃ】反射板の構造を説明するための図である。
【図１４Ａ】反射板の構造を説明するための図である。
【図１４Ｂ】反射板の構造を説明するための図である。
【図１４Ｃ】反射板の構造を説明するための図である。
【図１５】図３に図示された導光板を具体的に示した断面図である。
【図１６】図１５のＡ部分を具体的に示した斜視図である。
【図１７】図１５に図示された導光板の背面を具体的に示した図である。
【図１８】図１７に図示されたＢ部分及びＣ部分を拡大して示した拡大図である。
【図１９】本発明によるバックライトアセンブリでの光経路を具体的に示した図である。
【符号の説明】
【０１１７】
１０，１００    光源部
１２，１２０    ランプ
１４，１４０    ランプカバー
２０，２００    導光板
２２，３００    反射板
３０，４５０    バックライトアセンブリ
３２    拡散シート
３４    第１プリズムシート
３６    第１プリズムシート
３８    保護シート
４０，５００    液晶表示パネル
５０，６００    液晶表示装置
２１０    入射面
２２０    ガイド面
２２１    光ガイドパターン
２３０    出射面
３１０    支持層
３２０    第１集光層
３２１ａ，３２１ｂ    第１傾斜面
３２２ａ，３２２ｂ    第２傾斜面
３２３ａ，３２３ｂ    第１頂点
３２５ａ    第１突出部
３２５ｂ    第２突出部
３２７    第１集光層
３３０    第１反射層
３３１ａ，３３１ｂ    第１反射面
３３２ａ，３３２ｂ    第２反射面
３３３ａ，３３３ｂ    第１頂点
３３５    第２反射層
３４０    第３反射層
３４１    第３反射面
３４２    第４反射面
３４３    第３頂点
３４５    第３突出部
３５１    第５反射面
３５２    第６反射面
３６０    第５反射層
３６１    第７反射面
３６２    第８反射面
３７０，３８０    保護層
【図１】
2005513573.tif 000003
【図２】
2005513573.tif 000004
【図３】
2005513573.tif 000005
【図４】
2005513573.tif 000006
【図５Ａ】
2005513573.tif 000007
【図５Ｂ】
2005513573.tif 000008
【図５Ｃ】
2005513573.tif 000009
【図６】
2005513573.tif 000010
【図７】
2005513573.tif 000011
【図８】
2005513573.tif 000012
【図９】
2005513573.tif 000013
【図１０】
2005513573.tif 000014
【図１１Ａ】
2005513573.tif 000015
【図１１Ｂ】
2005513573.tif 000016
【図１２Ａ】
2005513573.tif 000017
【図１２Ｂ】
2005513573.tif 000018
【図１２Ｃ】
2005513573.tif 000019
【図１３Ａ】
2005513573.tif 000020
【図１３Ｂ】
2005513573.tif 000021
【図１３Ｃ】
2005513573.tif 000022
【図１４Ａ】
2005513573.tif 000023
【図１４Ｂ】
2005513573.tif 000024
【図１４Ｃ】
2005513573.tif 000025
【図１５】
2005513573.tif 000026
【図１６】
2005513573.tif 000027
【図１７】
2005513573.tif 000028
【図１８】
2005513573.tif 000029
【図１９】
2005513573.tif 000030
【国際調査報告】
2005513573.tif 000031
2005513573.tif 000032